【事件の表示】
　平成　３年特許願第　９１９９９号「情報処理装置」拒絶査定に対する審判事件［平成　４年１１月１２日出願公開、特開平　４−３２２３７７］について、次のとおり審決する。
【結　論】
　本件審判の請求は、成り立たない。
【理　由】
１．手続の経緯・本願発明
　本願は、平成３年４月２３日の出願であって、その請求項１に係る発明（以下「本願発明１」という。）は、平成１２年７月１４日付手続補正書により補正された明細書及び図面の記載からみて、特許請求の範囲の請求項１に記載された次のとおりのものと認める。
「図形情報を記憶した図形情報記憶手段と、
　前記図形情報記憶手段に記憶された図形情報を表示する表示手段と、
　前記表示手段に表示された図形を指定する指定手段と、
　図形を囲む矩形情報を記憶した矩形情報記憶手段と、
　前記指定手段によって指定された図形に対し、前記矩形情報記憶手段から対応する矩形情報を読み出して表示させる制御手段と、を有することを特徴とする情報処理装置。」
　
２．引用例
　これに対して、原査定の拒絶の理由において引用された、著作権等に関する注記からみて遅くとも１９８４年（昭和５９年）の翌年末までに米国とカナダにおいて頒布された刊行物と推認することができるマニュアル「ＬｉｓａＤｒａｗ」（以下「引用例」という。）の第５５頁〜第６５頁には、次のような記載があって、図面の一部を選択指定する手法が開示されている。
　
（ア）５５頁の「Selecting Parts of a Drawing 」という見出しが付された箇所中に
「When you have selected an object,small black squares, called handles, surround the object or appear on its ends. For exanple, a selected circle is surrounded by handles. 」
　
（イ）５６〜５７頁の「To Select a Solid Shape 」という見出しが付された箇所中に
　3＞Click once to select the object.」
　
（ウ）５８〜６０頁の「To select Small Objects which Are on Top of Other Objects 」という見出しが付された箇所中に
「2＞ Move the pointer above and to the left of the objects you want to select.
　・・・（中略）・・・
　4＞ Press and hold down the mouse button.・・・（以下略）
　5＞ Slide the pointer diagonally and down to the right across the objects you want to select. The hand pointer and selection box appear. The selection box enlarges as you slide the pointer.
　6＞ When all the objects you want to select are enclosed in the selection box, release the mouse button.」
　
（エ）６３〜６５頁の「To Select Multiple Objects Close Together 」という見出しが付された箇所中に
「2＞ Move the pointer above and to the left of all the objects you want to select.
　3＞ Press and hold down the mouse button. 
　4＞ Slide the pointer diagonally and down to the right across the objects you want to select. The hand pointer and selection box appear. The selec box enlarges as you slide the pointer.
　5＞ When all the objects you want to select are enclosed in the selection box, release the mouse button.」
　
　また、上記（イ）で指摘した箇所には、円などにポインタをおいた状態の図面と円に外接する矩形上の位置に複数の小さな黒の四角が表されている状態の図面が、上記（ウ）で指摘した箇所には、装置の表示手段の表示状態を表している中に、２つの円の外側左上にポインタをおいた状態の図面と２つの円を囲む大きな矩形の右下角部に手の形をしたポインタが表されている状態の図面と２つの円に外接する矩形上の位置に複数の小さな黒の四角が表されている状態の図面が、上記（エ）で指摘した箇所には、装置の表示手段の表示状態を表している中に、近接している多数のオブジェクトの左上にポインタをおいた状態の図面とそのポインタ位置を左上とし多数のオブジェクトを囲む大きな矩形の右下角部に手の形をしたポインタが表されている状態の図面とその矩形の中にある各対象図形の外接する矩形上の位置に複数の小さな黒の四角が表されている状態の図面がそれぞれ記載されている。
　
　これらの記載事項によると、引用例には、「マウスを操作し、選択したい画面上のオブジェクトを対角線状に横切るようにポインタを移動させることにより、「hand pointer」および「selection box」が現れ、選択したい全てのオブジェクトを「selection box」により囲んだ後、マウスボタンを解放すると、画面上の個々のオブジェクトを取り囲む最小の矩形枠を表す、そのオブジェクトが選択されたことを示す複数の小さな黒の四角（「ハンドル」と称する。）が現れることを特徴とする図形情報処理装置。」（以下「引用例発明」という。）が記載されていると認められる。
　
３．対比
　そこで、本願発明１と引用例発明とを対比するに、引用例の第５８頁〜第６５頁記載の各図面にはオブジェクト等が表示手段に表示されている状態で表されているから、引用例のものも本願発明１における「図形情報を表示する表示手段」に相当するものを有することを前提としていることは明らかであり、また、引用例発明における「hand pointer」および「selection box」は、範囲を指定するものであるから、本願発明１における「表示手段に表示された図形を指定する指定手段」に相当するものを有していると認められ、さらに、引用例発明における「ハンドル」に関する情報は、本願発明１における「図形を囲む矩形情報」に相当する。　したがって、円などのオブジェクトの原型の図形情報は予め記憶手段に記憶しておくようにすることが普通であることを考慮すれば、両発明は、「図形情報を記憶した図形情報記憶手段と、前記図形情報記憶手段に記憶された図形情報を表示する表示手段と、前記表示手段に表示された図形を指定する指定手段と、前記指定手段によって指定された図形に対し、対応する矩形情報を表示させる制御手段と、を有することを特徴とする情報処理装置」である点で一致し、以下の点で相違する。
（相違点１）本願発明１が「図形を囲む矩形情報を記憶した矩形情報記憶手段」を備えているのに対し、引用例発明にはその旨の記載がない点。
（相違点２）本願発明１の「制御手段」が「指定手段によって指定された図形に対し、矩形情報記憶手段から対応する矩形情報を読み出して表示させ」ているのに対し、引用例発明にはその旨の記載がない点。
　
４．当審の判断
　上記各相違点について検討する。
（１）上記相違点１について
　図形処理装置において表示手段に表示される図形に関する情報を、その都度計算により求めるようにすることも、メモリ等の記憶手段に記憶させておきその記憶手段から読み出すようにすることも、周知慣用の事項であり、これらはメモリ容量も含めたメモリ装置の性能や、処理装置の処理速度などを勘案して適宜採択される設計的事項に過ぎないから、引用例発明において、図形を囲む矩形情報を記憶するメモリ等の記憶手段を設けるようにすることは、当業者であれば容易になし得る程度のものである。
（２）上記相違点２について
　図形を囲む矩形情報が指定された図形に対応するものでなければならないことは当然のことであって、図形を囲む矩形情報を記憶するメモリ等の記憶手段から情報を読み出して表示手段に表示させるものである以上、引用例発明において、指定された図形に対応する矩形情報を記憶手段から読み出すことにより該矩形情報を表示させる制御手段を設けるようにすることは、当業者が格別思考することなく容易に推考しうることにすぎない。
　
５．むすび
　以上から明らかなように、本願発明１は、引用例発明に基づいて当業者が容易に発明をすることができたものであって、特許法第２９条第２項の規定により特許を受けることができないものであるから、請求項２，３に係る発明について検討するまでもなく、本願は拒絶すべきものである。
　よって、結論のとおり審決する。